(57)【要約】  電力管理方法は、複数の施設を管理する電力管理サーバから、各施設に個別に設けられるローカル制御装置に対して、各施設に個別に設けられる分散電源を制御するための電力指令メッセージを送信するステップＡと、前記ローカル制御装置が、前記電力指令メッセージによる制御が終了した後における前記分散電源の復帰動作状態を選択するステップＢとを備え、前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態のいずれかである。
2018043689.tif 000002
【特許請求の範囲】
【請求項１】
複数の施設を管理する電力管理サーバから、各施設に個別に設けられるローカル制御装置に対して、各施設に個別に設けられる分散電源を制御するための電力指令メッセージを送信するステップＡと、
前記ローカル制御装置が、前記電力指令メッセージによる制御が終了した後における前記分散電源の復帰動作状態を選択するステップＢとを備え、
前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態の少なくともいずれかを含む、電力管理方法。
【請求項２】
前記電力管理サーバから前記ローカル制御装置に対して、前記復帰動作状態を指定する情報を含む復帰動作メッセージを送信するステップＣを備える、請求項１に記載の電力管理方法。
【請求項３】
前記電力指令メッセージに含まれる電力指令を実行中に前記復帰動作メッセージを送信する、請求項２に記載の電力管理方法。
【請求項４】
前記復帰動作メッセージを前記電力指令メッセージの前に送信する、請求項２に記載の電力管理方法。
【請求項５】
前記電力指令メッセージは、前記復帰動作状態を指定する情報を含む、請求項１又は請求項２に記載の電力管理方法。
【請求項６】
前記ローカル制御装置から前記電力管理サーバに対して、前記分散電源のスペック情報、前記分散電源の識別情報及び前記分散電源の設定情報の少なくともいずれか１つの情報を含む分散電源情報を送信するステップＤと、
前記電力管理サーバが、前記分散電源情報に基づいて前記復帰動作状態を指定するステップＥとを備える、請求項２、請求項２を引用する請求項３乃至請求項５のいずれかに記載の電力管理方法。
【請求項７】
前記復帰動作状態は、予め定められている、請求項１に記載の電力管理方法。
【請求項８】
前記復帰動作状態は、前記分散電源のスペック情報、前記分散電源の識別情報及び前記分散電源の設定情報の少なくともいずれか１つの情報に基づいて予め定められている、請求項７に記載の電力管理方法。
【請求項９】
前記復帰動作状態は、前記復帰動作状態の継続時間又は終了時刻を含むタイマー情報と対応付けられている、請求項１乃至請求項８のいずれか１項に記載の電力管理方法。
【請求項１０】
複数の施設を管理する電力管理サーバであって、
各施設に個別に設けられるローカル制御装置に対して、各施設に個別に設けられる分散電源を制御するための電力指令メッセージを送信する送信部を備え、
前記送信部は、前記電力指令メッセージによる制御が終了した後における前記分散電源の復帰動作状態を指定する情報を含む復帰動作メッセージを送信する、電力管理サーバ。
【請求項１１】
電力管理サーバによって管理される複数の施設のいずれかである対象施設に設けられる分散電源を制御するローカル制御装置であって、
前記分散電源を制御するための電力指令メッセージを前記電力管理サーバから受信する受信部と、
前記電力指令メッセージによる制御が終了した後における前記分散電源の復帰動作状態を選択する制御部とを備え、
前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態のいずれかである、ローカル制御装置。
【請求項１２】
複数の施設を管理する電力管理サーバと、
各施設に個別に設けられるローカル制御装置とを備え、
前記電力管理サーバは、各施設に個別に設けられる分散電源を制御するための電力指令メッセージを送信する送信部を備え、
前記ローカル制御装置は、前記電力指令メッセージによる制御が終了した後における前記分散電源の復帰動作状態を選択する制御部を備え、
前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態のいずれかである、電力管理システム。
【発明の詳細な説明】
【技術分野】
【０００１】
本開示は、電力管理方法、電力管理サーバ、ローカル制御装置及び電力管理システムに関する技術である。
【背景技術】
【０００２】
近年、電力系統の電力需給バランスを維持するために、電力系統から施設への潮流量又は施設から電力系統への逆量流を抑制する技術が知られている（例えば、特許文献１，２）。【０００３】
さらに、複数の施設に設けられる分散電源を電力系統に電力を供給する電源として用いるシステム（以下、ＶＰＰ；Ｖｉｒｔｕａｌ  Ｐｏｗｅｒ  Ｐｌａｎｔ）が注目を集めている。ＶＰＰでは、複数の施設の間で電力を融通する必要があり、このような電力融通を管理する電力管理サーバが必要である。
【先行技術文献】
【特許文献】
【０００４】
【特許文献１】特開２０１３−１６９１０４号公報
【特許文献２】特開２０１４−１２８１０７号公報
【発明の概要】
【０００５】
ＶＰＰにおいて、電力管理サーバは、分散電源を制御するための電力指令メッセージを送信する。しかしながら、電力指令メッセージの送信による分散電源の制御の検討は端緒についたばかりである。
【０００６】
そこで、本開示は、分散電源を適切に管理する電力管理方法、電力管理サーバ、ローカル制御装置及び電力管理システムを提供する。
【０００７】
第１の開示に係る電力管理方法は、複数の施設を管理する電力管理サーバから、各施設に個別に設けられるローカル制御装置に対して、各施設に個別に設けられる分散電源を制御するための電力指令メッセージを送信するステップＡと、前記ローカル制御装置が、前記電力指令メッセージによる制御が終了した後における前記分散電源の復帰動作状態を選択するステップＢとを備える。前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態の少なくともいずれかを含む。
【０００８】
第２の開示に係る電力管理サーバは、複数の施設を管理する。前記電力管理サーバは、各施設に個別に設けられるローカル制御装置に対して、各施設に個別に設けられる分散電源を制御するための電力指令メッセージを送信する送信部を備える。前記送信部は、前記電力指令メッセージによる制御が終了した後における前記分散電源の復帰動作状態を指定する情報を含む復帰動作メッセージを送信する。
【０００９】
第３の開示に係るローカル制御装置は、電力管理サーバによって管理される複数の施設のいずれかである対象施設に設けられる分散電源を制御する。前記ローカル制御装置は、前記分散電源を制御するための電力指令メッセージを前記電力管理サーバから受信する受信部と、前記電力指令メッセージによる制御が終了した後における前記分散電源の復帰動作状態を選択する制御部とを備える。前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態のいずれかである。
【００１０】
第４の開示に係る電力管理システムは、複数の施設を管理する電力管理サーバと、各施設に個別に設けられるローカル制御装置とを備える。前記電力管理サーバは、各施設に個別に設けられる分散電源を制御するための電力指令メッセージを送信する送信部を備える。前記ローカル制御装置は、前記電力指令メッセージによる制御が終了した後における前記分散電源の復帰動作状態を選択する制御部を備える。前記復帰動作状態は、前記電力指令メッセージによる制御を開始する前における前記分散電源の運転状態、前記分散電源の待機運転状態、前記電力管理サーバが指定した前記分散電源の運転状態、及び、前記電力指令メッセージによって指定された前記分散電源の運転状態のいずれかである。
【００１１】
一態様によれば、分散電源を適切に管理する電力管理方法、電力管理サーバ、ローカル制御装置及び電力管理システムを提供することができる。
【図面の簡単な説明】
【００１２】
【図１】図１は、実施形態に係る電力管理システム１を示す図である。
【図２】図２は、実施形態に係る電力管理サーバ３００を示す図である。
【図３】図３は、実施形態に係るローカル制御装置４００を示す図である。
【図４】図４は、実施形態に係る電力管理方法を示す図である。
【図５】図５は、変更例１に係る電力管理方法を示す図である。
【発明を実施するための形態】
【００１３】
以下において、実施形態について図面を参照しながら説明する。なお、以下の図面の記載において、同一又は類似の部分には、同一又は類似の符号を付している。
【００１４】
但し、図面は模式的なものであり、各寸法の比率などは現実のものとは異なる場合があることに留意すべきである。従って、具体的な寸法などは以下の説明を参酌して判断すべきである。また、図面相互間においても互いの寸法の関係又は比率が異なる部分が含まれていることは勿論である。
【００１５】
［実施形態］
（電力管理システム）
以下において、実施形態に係る電力管理システムについて説明する。実施形態では、施設１００に設けられる燃料電池装置１４０（１４１）を少なくとも負荷または電力系統に電力を供給可能な分散電源として用いるシステム（以下、ＶＰＰ；Ｖｉｒｔｕａｌ  Ｐｏｗｅｒ  Ｐｌａｎｔ）を例に挙げる。
【００１６】
図１に示すように、電力管理システム１は、施設１００と、ネットワーク２００と、電力管理サーバ３００とを有する。実施形態では、施設１００Ａ〜施設１００Ｃが施設１００として例示されている。しかしながら、施設１００Ｂ及び施設１００Ｃは施設１００Ａと同様の構成を有するため、ここでは、施設１００Ａについてのみ説明する。施設１００は、ＥＭＳ１１０と、負荷１２０と、蓄電池装置１３０と、燃料電池装置１４０とを有する。
【００１７】
ＥＭＳ１１０は、施設１００に設けられる設備の電力を管理する装置（Ｅｎｅｒｇｙ  Ｍａｎａｇｅｍｅｎｔ  Ｓｙｓｔｅｍ）である。ＥＭＳ１１０は、ネットワーク２００を介したクラウドサーバであってもよい。ＥＭＳ１１０は、ローカル制御装置の一例であり、バーチャルエンドノード（ＶＥＮ；Ｖｉｒｔｕａｌ  Ｅｎｄ  Ｎｏｄｅ）装置の一例である。
【００１８】
負荷１２０は、電力を消費する設備又は機器である。負荷１２０は、例えば、冷蔵庫、冷凍庫、照明、エアコン又はテレビなどの設備又は機器を含む。負荷１２０は、単数の設備又は機器を含んでもよく、複数の設備又は機器を含んでもよい。
【００１９】
蓄電池装置１３０は、ＶＰＰで用いる分散電源の一例である。蓄電池装置１３０は、蓄電池１３１と、ＰＣＳ１３２とを有する。蓄電池１３１は、電力の充電又は電力の放電を行う装置である。ＰＣＳ１３２は、蓄電池１３１から放電される直流（以下、ＤＣ；Ｄｉｒｅｃｔ  Ｃｕｒｒｅｎｔ）電力を交流（以下、ＡＣ；Ａｌｔｅｒｎａｔｉｎｇ  Ｃｕｒｒｅｎｔ）電力に変換し、ＡＣ電力を蓄電池１３１に充電されるＤＣ電力に変換する装置（Ｐｏｗｅｒ  Ｃｏｎｄｉｔｉｏｎｉｎｇ  Ｓｙｓｔｅｍ）である。
【００２０】
燃料電池装置１４０は、ＶＰＰで用いる分散電源の一例である。燃料電池装置１４０は、燃料電池１４１と、ＰＣＳ１４２とを有する。燃料電池１４１は、燃料ガスを用いて電力を発電する装置である。ＰＣＳ１４２は、燃料電池１４１から出力されるＤＣ電力をＡＣ電力に変換する装置（Ｐｏｗｅｒ  Ｃｏｎｄｉｔｉｏｎｉｎｇ  Ｓｙｓｔｅｍ）である。燃料電池１４１の排熱は、貯湯槽に貯留される水（湯）の量の維持又は増大に用いられ、或いは、貯湯槽に貯留される水（湯）の温度の維持又は上昇に用いられてもよい。
【００２１】
ここで、燃料電池装置１４０（燃料電池１４１）は、固体酸化物型燃料電池（以下、ＳＯＦＣ：Ｓｏｌｉｄ  Ｏｘｉｄｅ  Ｆｕｅｌ  Ｃｅｌｌ）、固体高分子型燃料電池（以下、ＰＥＦＣ：Ｐｏｌｙｍｅｒ  Ｅｌｅｃｔｒｏｌｙｔｅ  Ｆｕｅｌ  Ｃｅｌｌ）、リン酸型燃料電池（以下、ＰＡＦＣ：Ｐｈｏｓｐｈｏｒｉｃ  Ａｃｉｄ  Ｆｕｅｌ  Ｃｅｌｌ）及び溶融炭酸塩型燃料電池（以下、ＭＣＦＣ：Ｍｏｌｔｅｎ  Ｃａｒｂｏｎａｔｅ  Ｆｕｅｌ  Ｃｅｌｌ）のいずれかであってもよい。
【００２２】
ネットワーク２００は、施設１００と電力管理サーバ３００とを接続する通信回線である。ネットワーク２００は、例えば、インターネット又は移動通信網などの公衆回線であってもよく、ＶＰＮ（Ｖｉｒｔｕａｌ  Ｐｒｉｖａｔｅ  Ｎｅｔｗｏｒｋ）などの専用回線であってもよい。公衆回線は、例えば、施設１００に設けられるスマートメータを通らないＢルートの回線を用いてもよい。専用回線は、施設１００に設けられるスマートメータを通るＡルートの回線を用いてもよい。スマートメータは、電力会社などの発電事業者によって管理され、施設１００の使用電力に対する課金又は売電電力に対するインセンティブの計算に用いられる電力計である。スマートメータは施設１００に複数設置されてもよい。
【００２３】
電力管理サーバ３００は、発電事業者、送配電事業者又は小売事業者などの事業者によって管理されるサーバである。電力管理サーバ３００は、送配電事業者又は小売事業者に相当するアグリゲータによって管理されてもよい。アグリゲータは、当該アグリゲータと契約する施設１００の電力需給バランスを管理する事業者である。アグリゲータは、電力会社などの発電事業者から電力需給バランスの管理を委託されてもよい。電力管理サーバ３００は、バーチャルトップノード（ＶＴＮ；Ｖｉｒｔｕａｌ  Ｔｏｐ  Ｎｏｄｅ）装置の一例である。
【００２４】
電力管理サーバ３００は、施設１００に設けられる分散電源を制御する電力指令メッセージを送信してもよい。電力指令メッセージは、施設１００に設置された分散電源の運転の制御を要求する電源制御メッセージであってもよい。電力指令メッセージは、電力系統から施設１００への潮流量の制御（増加、減少又は維持）を要求する潮流制御メッセージであってもよく、施設１００から電力系統への逆潮流量の制御（増加、減少又は維持）を要求する逆潮流制御メッセージであってもよい。
【００２５】
電力指令メッセージのフォーマットとして、独自フォーマットを用いてもよいし、自動デマンドレスポンス（ＡＤＲ；Ａｕｔｏｍａｔｅｄ  Ｄｅｍａｎｄ  Ｒｅｓｐｏｎｓｅ）に準拠したフォーマットを用いてもよい。より具体的に、電力指令メッセージは、ＯｐｅｎＡＤＲ２．０規格に準拠した方式を用いることができる。
【００２６】
（電力管理サーバ）
以下において、実施形態に係る電力管理サーバについて説明する。
【００２７】
図２に示すように、電力管理サーバ３００は、通信部３１０と、管理部３２０と、制御部３３０とを有する。
【００２８】
通信部３１０は、通信モジュール等によって構成されており、施設１００と通信を行う。例えば、通信部３１０は、電力指令メッセージを施設１００に送信する。通信部３１０は、後述する分散電源情報を施設１００から受信する。
【００２９】
管理部３２０は、不揮発性メモリ又は／及びＨＤＤなどの記憶媒体によって構成されており、電力系統に接続された複数の施設１００を管理する。
【００３０】
制御部３３０は、ＣＰＵ及びメモリ等によって構成されており、通信部３１０及び管理部３２０を制御する。制御部３３０は、管理部３２０によって管理される複数の施設１００の全体として電力需給バランスを調整する。
【００３１】
実施形態では、電力指令メッセージは、運転状態の指定に加えて、電力指令メッセージによる制御を継続する継続条件を含んでもよい。分散電源が蓄電池装置１３０である場合に、継続条件は、時間条件（○○時〜○○時まで）、放電条件（○○ｋＷｈの電力を放電するまで、又は蓄電残量が○○ｋＷｈを下回るまで）、充電条件（○○ｋＷｈの電力を充電するまで、蓄電残量が○○ｋＷｈを上回るまで）という条件である。時間条件及び放電条件は組み合わされてもよく、時間条件及び充電条件は組み合わされてもよい。時間条件は、電力指令メッセージの受信からの継続時間（又は残り時間）で指定されてもよいし、所定の開始時間からの継続時間（又は残り時間）で指定されてもよいし、終了時刻のみの指定であってもよい。このようなケースにおいて、放電条件及び充電条件はｋＷで指定されてもよい。分散電源が燃料電池装置１４０である場合には、継続条件は、時間条件（○○時〜○○時まで）、湯量制御条件（湯量がターゲット湯量に達するまで、湯温がターゲット湯温に達するまで）という条件である。時間条件及び湯量制御条件は組み合わされてもよい。時間条件は、電力指令メッセージの受信からの継続時間（又は残り時間）で指定されてもよいし、所定の開始時間からの継続時間（又は残り時間）で指定されてもよいし、終了時刻のみの指定であってもよい。
【００３２】
実施形態では、制御部３３０は、分散電源情報に基づいて、電力指令メッセージによる制御が終了した後における分散電源の復帰動作状態を指定してもよい。電力指令メッセージによる分散電源の制御主体が電力管理サーバであるのに対して、復帰動作状態はローカル制御装置が制御主体である。そのため、復帰動作状態は、電力指令メッセージによる分散電源の制御期間が終了したときにどのような制御を行うのか決めるものである。制御部３３０は、復帰動作状態を指定する情報を含む復帰動作メッセージの送信を通信部３１０に指示する。復帰動作状態を指定する情報は、電力指令メッセージに含まれてもよい。すなわち、電力指令メッセージが復帰動作メッセージを兼ねてもよい。
【００３３】
ここで、復帰動作状態は、電力指令メッセージによる制御を開始する前における分散電源の運転状態、分散電源の待機運転状態、電力管理サーバ３００が指定した前記分散電源の運転状態、及び、電力指令メッセージによって指定された分散電源の運転状態の少なくともいずれかを含む。分散電源が蓄電池装置１３０である場合には、待機運転状態は、蓄電池装置１３０が充電及び放電のいずれも行わない状態であればよい。分散電源が燃料電池装置１４０である場合には、待機運転状態は、燃料電池装置１４０が発電を停止する状態（以下、停止状態）である。停止状態は、燃料電池装置１４０の動作が完全に停止する運転状態（完全停止状態）であってもよく、燃料電池装置１４０の温度を所定温度に維持する程度の化学反応を行う運転状態（アイドリング状態）であってもよい。
【００３４】
また、復帰動作状態は、復帰動作状態の継続時間（復帰動作状態の終了までの時間）又は終了時刻を含むタイマー情報と対応付けられていてもよい。タイマー情報は、復帰動作状態を指定する情報に含まれていてもよい。タイマーの満了後において、電力指令メッセージによる制御を開始する前における分散電源の運転状態に分散電源の運転状態を戻してもよい。タイマー情報は、予め定められていてもよい。
【００３５】
（ローカル制御装置）
以下において、実施形態に係るローカル制御装置について説明する。ローカル制御装置は、施設１００内で燃料電池装置１４０を制御する装置であればよい。ローカル制御装置は、上述したＥＭＳ１１０であってもよく、上述したＰＣＳ１３２であってもよく、上述したＰＣＳ１４２であってもよい。ローカル制御装置は、ＥＭＳ１１０及びＰＣＳ１３２の双方によって構成されてもよく、ＥＭＳ１１０及びＰＣＳ１４２の双方によって構成されてもよい。図３に示すように、ローカル制御装置４００は、通信部４１０と、制御部４２０とを有する。
【００３６】
通信部４１０は、通信モジュール等によって構成されており、電力管理サーバ３００と通信を行う。例えば、通信部４１０は、電力指令メッセージを電力管理サーバ３００から受信する。通信部４１０は、後述する分散電源情報を電力管理サーバ３００に送信する。
【００３７】
制御部４２０は、ＣＰＵ及びメモリ等によって構成されており、通信部４１０を制御する。制御部４２０は、施設１００内で燃料電池装置１４０を制御する。
【００３８】
実施形態では、制御部４２０は、電力指令メッセージによる制御が終了した後における分散電源の復帰動作状態を選択する。上述したように、復帰動作状態は、電力指令メッセージによる制御を開始する前における分散電源の運転状態、分散電源の待機運転状態、及び、電力指令メッセージによって指定された分散電源の運転状態のいずれかである。
【００３９】
制御部４２０は、分散電源情報の送信を通信部４１０に指示してもよい。分散電源情報は、復帰動作状態の指定に用いられる情報であり、例えば、分散電源のスペック情報、分散電源の識別情報及び分散電源の設定情報の少なくともいずれか１つの情報を含む。
【００４０】
分散電源のスペック情報は、例えば、分散電源の定格電力である。分散電源の定格電力は、例えば、蓄電池装置１３０が放電又は充電可能な電力（ｋＷ）又は電力量（ｋＷｈ）、燃料電池装置１４０の出力電力（ｋＷ）又は電力量（ｋＷｈ）である。定格電力は、蓄電池１３１及びＰＣＳ１３２のいずれかのメーカーによって定められる放電電力又は充電電力の推奨上限（例えば、カタログ値）であってもよい。定格電力は、燃料電池１４１及びＰＣＳ１４２のいずれかのメーカーによって定められる発電電力の推奨上限（例えば、カタログ値）であってもよい。定格電力は、ＡＣ電力で表されてもよく、ＤＣ電力で表されてもよい。分散電源が蓄電池装置１３０である場合には、スペック情報は、蓄電池１３１の全体容量、蓄電池装置１３０の下限ＳＯＣ（Ｓｔａｔｅ  ｏｆ  Ｃｈａｒｇｅ）、上限ＳＯＣ、蓄電池１３１を保護するための使用不可容量及び災害などの緊急事態に対応するためにＢＣＰ（Ｂｕｓｉｎｅｓｓ  Ｃｏｎｔｉｎｕｉｔｙ  Ｐｌａｎ）容量の少なくともいずれか１つであってもよい。
【００４１】
分散電源の識別情報は、例えば、分散電源が蓄電池装置１３０及び燃料電池装置１４０のいずれであるか、蓄電池装置１３０が固定型の蓄電池装置及びＥＶ（Ｅｌｅｃｔｒｉｃ  Ｖｅｈｉｃｌｅ）のいずれであるか、燃料電池装置１４０がＳＯＦＣ、ＰＥＦＣ、ＰＡＦＣ及びＭＣＦＣのいずれであるかなどの情報である。分散電源の識別情報は、分散電源の機種名、メーカーコード、製造コード又はこれらを組み合わせた文字列、数字列、又はこれらの組み合わせなどである。
【００４２】
分散電源の設定情報は、分散電源の運転状態、運転状態の継続条件及び他の設定情報のいずれか１つを含む。分散電源が蓄電池装置１３０である場合に、運転状態は、放電状態、充電状態及び待機状態である。継続条件は、時間条件（○○時〜○○時までまで）、放電条件（○○ｋＷｈの電力を放電するまで、蓄電残量が○○ｋＷｈを下回るまで）、充電条件（○○ｋＷｈの電力を充電するまで、蓄電残量が○○ｋＷｈを上回るまで）という条件である。時間条件及び放電条件は組み合わされてもよく、時間条件及び充電条件は組み合わされてもよい。時間条件は、電力指令メッセージの受信からの継続時間（又は残り時間）で指定されてもよいし、所定の開始時間からの継続時間（又は残り時間）で指定されてもよいし、終了時刻のみの指定であってもよい。このようなケースにおいて、放電条件及び充電条件はｋＷで指定されてもよい。このようなケースにおいて、放電条件及び充電条件はｋＷで指定されてもよい。他の設定情報は、上述した下限ＳＯＣ、上限ＳＯＣ及びＢＣＰが設定されているか否か、蓄電池装置１３０から放電される電力によって売電電力の押し上げが許可されているか否か、蓄電池装置１３０から電力系統への逆潮流が許可されているか否かという情報である。分散電源が燃料電池装置１４０である場合には、運転状態は、発電状態及び停止状態である。発電状態は、一定電力で発電を行う状態、負荷１２０の消費電力に追従するように発電を行う状態を含む。停止状態は、完全停止状態及びアイドリング状態を含む。継続条件は、時間条件（○○時〜○○時まで）、湯量制御条件（湯量がターゲット湯量に達するまで、湯温がターゲット湯温に達するまで）という条件である。時間条件及び湯量制御条件は組み合わされてもよい。時間条件は、電力指令メッセージの受信からの継続時間（又は残り時間）で指定されてもよいし、所定の開始時間からの継続時間（又は残り時間）で指定されてもよいし、終了時刻のみの指定であってもよい。他の設定情報は、燃料電池装置１４０から電力系統への逆潮流が許可されているか否かという情報である。
【００４３】
（電力管理方法）
以下において、実施形態に係る電力管理方法について説明する。図４では、１つのローカル制御装置４００のみが図示されているが、実際には複数のローカル制御装置４００が存在してもよい。
【００４４】
ステップＳ１１において、電力管理サーバ３００は、分散電源情報を要求するメッセージ（分散電源情報要求）をローカル制御装置４００に送信する。
【００４５】
ステップＳ１２において、ローカル制御装置４００は、分散電源情報を含むメッセージ（分散電源情報応答）を電力管理サーバ３００に送信する。分散電源情報は、復帰動作状態の指定に用いられる情報であり、例えば、分散電源のスペック情報、分散電源の識別情報及び分散電源の設定情報の少なくともいずれか１つの情報を含む。
【００４６】
ステップＳ１３において、電力管理サーバ３００は、複数の施設１００の全体として電力需給バランスを調整するために、電力指令メッセージをローカル制御装置４００に送信する。
【００４７】
ステップＳ１４において、ローカル制御装置４００は、電力指令メッセージに従って、分散電源の運転状態を制御する。ローカル制御装置４００は、制御期間が満了するまで、電力指令メッセージによる制御を継続する。図４に示す例では、電力指令メッセージは、復帰動作状態を指定する情報を含む。
【００４８】
ステップＳ１５において、ローカル制御装置４００は、制御期間の終了後において、電力指令メッセージによって指定された復帰動作状態に基づいて、分散電源の運転状態を復帰する。制御期間の終了は、電力指令メッセージに含まれる継続条件によって判断される。
【００４９】
ステップＳ１６において、電力管理サーバ３００は、燃料電池装置１４０の運転制御実績を要求するメッセージ（実績要求）をローカル制御装置４００に送信する。
【００５０】
ステップＳ１７において、ローカル制御装置４００は、燃料電池装置１４０の運転制御実績を含むメッセージ（実績応答）を電力管理サーバ３００に送信する。
【００５１】
ステップＳ１８において、電力管理サーバ３００は、施設１００内で最適化されたローカル運転計画の変更に伴うインセンティブを付与する。インセンティブは、金銭報酬であってもよく、商品券又はクーポンなどの無体物による報酬であってもよく、景品などの有体物による報酬であってもよい。
【００５２】
（作用及び効果）
実施形態では、ローカル制御装置４００は、電力指令メッセージによる制御が終了した後における復帰動作状態を指定する情報を選択する。従って、電力管理サーバ３００から頻繁に電力指令メッセージを送信することによって分散電源の運転状態を完全に制御したり、ローカル制御装置４００によって電力指令メッセージと矛盾する制御の任意の実行によって電力需給バランスが崩れたりといった可能性を低減することができる。
【００５３】
実施形態では、復帰動作状態は、分散電源情報に基づいて指定されてもよい。このような構成によれば、分散電源が電力需給バランスに与える影響の大きさ等を判断することができる。
【００５４】
[変更例１]
以下において、実施形態の変更例１について説明する。以下においては、実施形態に対する相違点について説明する。
【００５５】
実施形態では、電力指令メッセージが復帰動作メッセージを兼ねる。これに対して、変更例１では、電力指令メッセージとは別に、復帰動作メッセージが送信される。
【００５６】
（電力管理方法）
以下において、実施形態に係る電力管理方法について説明する。図５では、図４と同様の処理については同様のステップ番号が付されている。図４と同様の処理の説明については省略する。
【００５７】
図５に示すように、ステップＳ１４Ａにおいて、電力管理サーバ３００は、電力指令メッセージとは別に、復帰動作状態を指定する情報を含む復帰動作メッセージをローカル制御装置４００に送信する。復帰動作メッセージの送信タイミングは特に限定されるものではない。電力指令メッセージの送信前において、復帰動作メッセージが送信されてもよく、電力指令メッセージの送信後において、復帰動作メッセージが送信されてもよい。制御期間が終了する前に復帰動作メッセージが送信されてもよい。
【００５８】
[変更例２]
以下において、実施形態の変更例２について説明する。以下においては、実施形態に対する相違点について説明する。
【００５９】
実施形態では、復帰動作状態は、電力管理サーバ３００によって指定される。これに対して、変更例２では、復帰動作状態は、予め定められている。復帰動作状態を予め設定する方法としては、ユーザ入力により予め設定する方法であってもよい。なお、電力指令メッセージの送信前に復帰動作メッセージを送信することによって復帰動作状態を設定する方法は、復帰動作状態を予め設定する方法と考えてもよい。
【００６０】
復帰動作状態は、実施形態と同様に、分散電源のスペック情報、分散電源の識別情報及び分散電源の設定情報の少なくともいずれか１つの情報に基づいて予め定められていてもよい。このようなケースにおいて、スペック情報、識別情報及び設定情報の少なくともいずれか１つの情報と復帰動作状態との対応関係が予め定められている。
【００６１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６２】
特に限定されるものではないが、図４及び図５において、ローカル制御装置４００が定期的にポーリング信号を電力管理サーバ３００に送信してもよい。電力管理サーバ３００は、ポーリング信号の受信に応じて、各種メッセージをローカル制御装置４００に送信する。ローカル制御装置４００は、電力管理サーバ３００からの要求を受けなくても、自律的にメッセージを電力管理サーバ３００に送信してもよい。
【００６３】
特に限定されるものではないが、電力管理サーバ３００とローカル制御装置４００との間の通信は、Ｏｐｅｎ  ＡＤＲ規格に準拠する方式で行われてもよい。このようなケースにおいて、ポーリング信号としては、例えば、ｏｒｄｒＰｏｌｌを用いることができる。電力指令メッセージとしては、例えば、ｏａｄｒＤｉｓｔｒｉｂｕｔｅＥｖｅｎｔを用いることができる。分散電源情報応答及び実績応答としては、ＴＥＬＥＭＥＴＲＹ  ＵＳＡＧＥ及びＴＥＬＥＭＥＴＲＹ  ＳＴＡＴＵＳを用いることができる。
【００６４】
特に限定されるものではないが、図４及び図５に示すフローは定期的に行われてもよい。定期的とは、例えば、１回／ｎ日（ｎは０以上の整数）であってもよく、１回／ｎ時間（ｎは０以上の整数）で行われてもよい。図４及び図５に示すフローは所定イベントの発生に応じて行われてもよい。所定イベントは、電力管理サーバ３００が管理する管理エリアで電力需給バランスが崩れる事象であってもよく、管理エリアよりも広い広域エリアで電力需給バランスが崩れる事象であってもよく、自然災害等であってもよい。
【００６５】
特に限定されるものではないが、上述した「電力」は、瞬時値（ｋＷ）であってもよい。上述した「電力」は、時間の概念を伴う場合には電力量（ｋＷｈ）と読み替えてもよい。
【００６６】
特に限定されるものではないが、復帰動作状態の指定に必要な情報要素は、必ずしもローカル制御装置４００から送信されなくてもよい。例えば、分散電源のスペック情報、分散電源の識別情報及び分散電源の設定情報の少なくともいずれか１つを示す情報は、分散電源の設置申請等において予め電力管理サーバ３００に登録されていてもよい。
【００６７】
本願は日本国特許出願第２０１６-１７１０２３号（２０１６年９月１日出願）の優先権を主張し、その内容の全てが本願明細書に組み込まれている。
【図１】
2018043689.tif 000003
【図２】
2018043689.tif 000004
【図３】
2018043689.tif 000005
【図４】
2018043689.tif 000006
【図５】
2018043689.tif 000007
【国際調査報告】
2018043689.tif 000008
2018043689.tif 000009